(57)【要約】【課題】操作パネルの裏面に取り付けられた振動部からの配線の引き出しを容易にする。【解決手段】実施形態の一態様においては、入力装置は、操作パネルと、振動部と、支持パネルとを備える。操作パネルは、操作面を有する。振動部は、操作パネルの操作面とは反対側の裏面の端部に取り付けられ、操作パネルを振動させる。支持パネルは、操作パネルの裏面に対向して配置され、操作パネルを支持する。また、支持パネルは、第１支持パネルと、第２支持パネルとを備える。第１支持パネルは、操作面から見た場合に、操作パネルの振動部が取り付けられる取付領域を含む形状に形成される。第２支持パネルは、操作パネルと第１支持パネルとの間に配置されるとともに、操作面から見た場合に、操作パネルにおける振動部の取付領域より内側に位置するような形状に形成される。【選択図】図１Ａ
2018205881.tif 000002
【特許請求の範囲】
【請求項１】
操作面を有する操作パネルと、
前記操作パネルの操作面とは反対側の裏面の端部に取り付けられ、前記操作パネルを振動させる振動部と、
前記操作パネルの前記裏面に対向して配置され、前記操作パネルを支持する支持パネルと
を備え、
前記支持パネルは、
前記操作面から見た場合に、前記操作パネルの前記振動部が取り付けられる取付領域を含む形状に形成される第１支持パネルと、
前記操作パネルと前記第１支持パネルとの間に配置されるとともに、前記操作面から見た場合に、前記操作パネルにおける前記振動部の前記取付領域より内側に位置するような形状に形成される第２支持パネルと
を備えることを特徴とする入力装置。
【請求項２】
前記操作パネルは矩形状の板であり、前記第２支持パネルは四角形状の板であり、
前記振動部は、
前記操作パネルの長辺方向の端部に取り付けられ、
前記第２支持パネルは、
前記操作パネルの長辺に対応する辺が前記操作パネルの長辺より短くなるように形成されること
を特徴とする請求項１に記載の入力装置。
【請求項３】
前記第２支持パネルは、
厚さが前記第１支持パネルの厚さより薄くなるように形成されること
を特徴とする請求項１または２に記載の入力装置。
【請求項４】
前記操作パネルは、
ガラス製の板であること
を特徴とする請求項１〜３のいずれか一つに記載の入力装置。
【請求項５】
前記振動部に接続されるとともに、前記操作パネルと前記第１支持パネルとの間の空間に配置される配線
を備えることを特徴とする請求項１〜４のいずれか一つに記載の入力装置。
【請求項６】
前記操作パネルは、
四角形状の板であり、
前記操作パネルにおける四隅部のうちの一部または全部と前記第１支持パネルとの間に空間が形成されること
を特徴とする請求項１〜５のいずれか一つに記載の入力装置。
【請求項７】
前記第１支持パネルと前記第２支持パネルとを接着する支持パネル接着部
を備えることを特徴とする請求項１〜６のいずれか一つに記載の入力装置。
【請求項８】
操作面を有する操作パネルと、前記操作パネルの操作面とは反対側の裏面の端部に取り付けられ、前記操作パネルを振動させる振動部と、前記操作パネルの前記裏面に対向して配置され、前記操作パネルを支持する支持パネルとを備え、前記支持パネルは、前記操作面から見た場合に、前記操作パネルの前記振動部が取り付けられる取付領域を含む形状に形成される第１支持パネルと、前記操作パネルと前記第１支持パネルとの間に配置されるとともに、前記操作面から見た場合に、前記操作パネルにおける前記振動部の前記取付領域より内側に位置するような形状に形成される第２支持パネルと、を備える入力装置と、
前記操作面に対する操作に基づいて前記振動部を制御する振動制御部と
を備えることを特徴とする入力システム。
【請求項９】
前記振動制御部は、
前記操作面に対する操作に基づき、超音波帯域の周波数の振動を前記操作パネルに発生させる第１振動態様と、超音波帯域より低い周波数の帯域の振動を前記操作パネルに発生させる第２振動態様との間で切り替えるように前記振動部を制御すること
を特徴とする請求項８に記載の入力システム。
【発明の詳細な説明】
【技術分野】
【０００１】
本発明は、入力装置および入力システムに関する。
【背景技術】
【０００２】
従来、ユーザに触覚を与えることで入力操作を受け付けたことを認識させる入力装置が知られている。かかる入力装置では、たとえばユーザの操作面に対する押圧力に応じて振動を発生させることで、ユーザに対して入力操作を受け付けたことを認識させている（たとえば特許文献１参照）。
【先行技術文献】
【特許文献】
【０００３】
【特許文献１】特開２０１３−２３５６１４号公報
【発明の概要】
【発明が解決しようとする課題】
【０００４】
ところで、入力装置においては、操作面を有する操作パネルを振動させる振動部が、操作パネルの裏面に取り付けられることがある。しかしながら、操作パネルの裏面側には、操作パネルを支持する支持パネルが配置される。そのため、振動部は、支持パネルと操作パネルとの間に配置されることとなり、支持パネルの大きさによっては、たとえば振動部に接続される配線が支持パネルに接触してしまうことがあった。このように、従来技術には、振動部からの配線の引き出しが難しい場合があった。
【０００５】
本発明は、上記に鑑みてなされたものであって、操作パネルの裏面に取り付けられた振動部からの配線の引き出しを容易にすることができる入力装置および入力システムを提供することを目的とする。
【課題を解決するための手段】
【０００６】
上記課題を解決し、目的を達成するために、本発明は、入力装置において、操作パネルと、振動部と、支持パネルとを備える。操作パネルは、操作面を有する。振動部は、前記操作パネルの操作面とは反対側の裏面の端部に取り付けられ、前記操作パネルを振動させる。支持パネルは、前記操作パネルの前記裏面に対向して配置され、前記操作パネルを支持する。また、前記支持パネルは、第１支持パネルと、第２支持パネルとを備える。第１支持パネルは、前記操作面から見た場合に、前記操作パネルの前記振動部が取り付けられる取付領域を含む形状に形成される。第２支持パネルは、前記操作パネルと前記第１支持パネルとの間に配置されるとともに、前記操作面から見た場合に、前記操作パネルにおける前記振動部の前記取付領域より内側に位置するような形状に形成される。
【発明の効果】
【０００７】
本発明によれば、操作パネルの裏面に取り付けられた振動部からの配線の引き出しを容易にすることができる。
【図面の簡単な説明】
【０００８】
【図１Ａ】図１Ａは、実施形態に係る入力装置の平面図である。
【図１Ｂ】図１Ｂは、図１ＡのＡ−Ａ線断面図である。
【図２】図２は、実施形態に係る電子装置システムの搭載例を示す図である。
【図３】図３は、実施形態に係る電子装置システムの構成例を示す図である。
【図４】図４は、実施形態に係る入力システムの平面図である。
【図５】図５は、図４のＶ−Ｖ線断面図である。
【図６】図６は、図４のVI−VI線断面図である。
【図７】図７は、入力システムと表示装置との関係を示す図である。
【発明を実施するための形態】
【０００９】
以下、添付図面を参照して、本願の開示する入力装置および入力システムの実施形態を詳細に説明する。なお、以下に示す実施形態によりこの発明が限定されるものではない。
【００１０】
＜１．入力装置の概要＞
以下では先ず、実施形態に係る入力装置の概要について図１Ａおよび図１Ｂを用いて説明する。図１Ａは、実施形態に係る入力装置の平面図である。図１Ｂは、図１ＡのＡ−Ａ線断面図である。
【００１１】
なお、図１Ａや図１Ｂ、図４以降に示す図は、いずれも模式図である。したがって、図１Ａ等に示される各構成要素の大きさや形状等は必ずしも正確ではない。また、各図では、理解の便宜のため、各構成要素を誇張して示す場合がある。図１Ａ，１Ｂには、Ｘ軸、Ｙ軸およびＺ軸を含む３次元の直交座標系が示されている。かかる３次元の直交座標系は、他の図面でも示される場合がある。
【００１２】
図１Ａ，１Ｂに示すように、入力装置１は、操作パネル１０と、振動部２０と、支持パネル３０と、接着部４０とを備える。なお、入力装置１は、図示しない制御部によって制御されることで、たとえば操作パネル１０が有する操作面１１が振動する振動機能付きのタッチパッドとして用いることができる。また、入力装置１および制御部は、後述するように、液晶ディスプレイなどの表示部と組み合わせて、振動機能付きのタッチパネルとして用いることもできる。
【００１３】
操作パネル１０は、平板状の部材である。詳しくは、操作パネル１０は、四角形状の板であり、より詳しくは長辺１０ｃと短辺１０ｄとを備えた矩形状の板である。かかる操作パネル１０は、略中央に操作面１１を有する。操作パネル１０は、ユーザの操作面１１に対する接触位置を検出する機能を有する。たとえば、操作パネル１０は、図示しない静電容量方式の接触センサを備え、かかる接触センサによってユーザの操作面１１への接触位置を検出することができる。操作パネル１０が接触位置を検出する機能を有していない場合は、支持パネル３０が接触位置を検出する機能を有してもよく、または、接触位置を検出する機能を有する構成を別途配置してもよい。なお、ユーザの操作面１１に対する接触は、たとえば、ユーザが指等を操作面１１へ接触させたり、タッチペン等を操作面１１に接触させたりすることによって行われる。
【００１４】
振動部２０は、たとえば圧電素子（ピエゾ素子）などの振動素子である。振動部２０は、複数（ここでは２個）ある。なお、図１Ａ，１Ｂに示す例では、振動部２０を２個としたが、これに限られず、１個または３個以上であってもよい。
【００１５】
図１Ｂに示すように、振動部２０は、たとえば操作パネル１０の操作面１１とは反対側の裏面１２の短辺１０ｄ側の端部付近にそれぞれ取り付けられる。振動部２０は、操作パネル１０の裏面１２側に接着剤等によって固定されて取り付けられる。また、２個の振動部２０は、互いに対向するように取り付けられる。
【００１６】
このように、振動部２０が操作パネル１０の裏面１２側に取り付けられることで、たとえば振動部２０の振動時に発生する熱は操作面１１に伝達し難くなるため、操作面１１の温度が過度に上昇することを抑制することができる。
【００１７】
そして、振動部２０は、操作パネル１０を振動させる。たとえば、振動部２０は、制御部によって制御され、振動周波数が異なる複数の態様で操作パネル１０を振動させることができる。
【００１８】
具体的には、振動部２０は、ユーザの指が操作面１１に接触した状態において超音波帯域の高周波で操作パネル１０を振動させたり、超音波帯域よりも低い低周波で操作パネル１０を振動させたりする。これにより、操作面１１上のユーザの指に対し、つるつるした触感やぶるぶる震える触感を与えることができるが、これについては図３を用いて後述する。
【００１９】
支持パネル３０は、操作パネル１０の裏面１２に対向して配置され、操作パネル１０を支持する。
【００２０】
接着部４０は、操作パネル１０と支持パネル３０とを接着する。なお、操作パネル１０は、接着部４０によって全面が支持パネル３０に接着されるものではなく、図１Ａに示すように、たとえば長辺１０ｃ側など部分的に支持パネル３０に接着されるが、これについては図４を用いて後述する。
【００２１】
ところで、本実施形態に係る振動部２０は、上記したように、操作パネル１０の裏面１２に取り付けられる。そのため、従来技術にあっては、支持パネルの大きさによっては、振動部に接続される配線が支持パネルに接触し、配線の引き出しが難しい場合があった。
【００２２】
そこで、本実施形態では、支持パネル３０は、大きさが異なる複数（ここでは２つ）の支持パネルを備えるようにした。これにより、振動部２０からの配線２１の引き出しを容易にすることができる。
【００２３】
詳しくは、本実施形態に係る支持パネル３０は、第１支持パネル３０ａと、第２支持パネル３０ｂとを備える。なお、図１Ａでは、第２支持パネル３０ｂの形状を明示するため、第２支持パネル３０ｂに斜線を付して示している。
【００２４】
第１、第２支持パネル３０ａ，３０ｂは、操作パネル１０と同様に、四角形状の板であり、詳しくは矩形状の板である。図１Ａに示すように、第１支持パネル３０ａは、操作面１１から見た平面視において各辺が操作パネル１０の長辺１０ｃや短辺１０ｄより長くなるように形成される、すなわち、平面視において面積が操作パネル１０より大きくなるように形成される。
【００２５】
このように、第１支持パネル３０ａは、操作面１１から見た場合に（言い換えると、Ｚ軸負方向視において）、操作パネル１０の振動部２０が取り付けられる取付領域を含む形状に形成される。換言すると、第１支持パネル３０ａは、操作面１１から見た場合に、操作パネル１０における振動部２０の取付領域に重なるような形状とされる。なお、取付領域は、図１Ａに破線で示す振動部２０の外形線で囲まれた領域と同じである。
【００２６】
第２支持パネル３０ｂは、図１Ｂに示すように、操作パネル１０と第１支持パネル３０ａとの間に配置される。また、第２支持パネル３０ｂは、図１Ａに示すように、操作面１１から見た場合に、操作パネル１０における振動部２０の取付領域より内側に位置するような形状に形成される。換言すると、第２支持パネル３０ｂは、操作面１１から見た場合に、対向する振動部２０の間に位置され、また、操作パネル１０における振動部２０の取付領域に重ならないような形状とされる。
【００２７】
第２支持パネル３０ｂが上記した形状とされることで、操作パネル１０と第１支持パネル３０ａとの間で、かつ、振動部２０の付近には、空間Ｂが形成されることとなる（図１Ｂ参照）。したがって、本実施形態においては、振動部２０に接続される配線２１を、かかる空間Ｂを利用して、第１支持パネル３０ａなどに接触させることなく、振動部２０から容易に引き出すことができる。
【００２８】
さらに、本実施形態にあっては、操作パネル１０の過度な変形を抑制することができる。すなわち、たとえば図１Ｂに矢印Ｆで示すように、操作パネル１０の短辺１０ｄ側の端部がユーザによって強く押される場合がある。かかる場合、操作パネル１０の裏面１２側に空間Ｂが形成されるため、操作パネル１０はＺ軸負方向に撓む。しかしながら、本実施形態では、操作パネル１０のＺ軸負方向側に第１支持パネル３０ａが位置されることから、操作パネル１０は第１支持パネル３０ａに当接することとなる。すなわち、第１支持パネル３０ａは、操作パネル１０がＺ軸負方向へ変位することを規制するストッパとして機能し、よって操作パネル１０が過度に変形することを抑制することができる。
【００２９】
＜２．電子装置システムの搭載例＞
図２は、実施形態に係る入力装置１を備えた入力システム１００を含む電子装置システム２００の搭載例を示す図である。図２に示すように本実施形態に係る電子装置システム２００は、一例として車両に搭載される。
【００３０】
電子装置システム２００は、入力システム１００と、表示装置６０とを備える。入力システム１００は、たとえば、表示装置６０やスピーカ等の車載装置とネットワーク通信を介して接続され、かかる車載装置の入力デバイスとして機能する。また、入力システム１００は、入力装置１を含み、入力装置１は、上記したようにタッチパッドとして用いることができる。
【００３１】
操作パネル１０の操作面１１は、たとえば、センターコンソールのシフトレバーＳ近傍など、運転者から操作しやすい位置に配置される。図２の例では、操作面１１は、アームレストＲとシフトレバーＳとの間に配置される。したがって、ユーザは、腕をアームレストＲに置いた状態で操作面１１を操作することができる。これにより、ユーザは、運転姿勢を変化させることなく入力システム１００を容易に操作することができる。
【００３２】
車載装置は、たとえば、所定の画像を表示する表示装置６０や、所定の音声を出力するスピーカ、エアコン、カーナビゲーションシステムなどの各種機器である。したがって、ユーザは、入力システム１００を操作することでかかる各種機器を操作することができる。
【００３３】
上記した入力システム１００は、ユーザからの入力操作を受け付けると、かかる入力操作に伴って操作パネル１０に高周波の振動や低周波の振動を発生させ、これによりユーザに対して入力操作を受け付けたことを認識させることが可能となる。
【００３４】
＜３．電子装置システムの詳細＞
次に、実施形態に係る電子装置システム２００について図３を用いて説明する。図３は、実施形態に係る電子装置システム２００の構成例を示す図である。なお、図３では、本実施形態の特徴を説明するために必要な構成要素のみを機能ブロックで表しており、一般的な構成要素についての記載を省略している。
【００３５】
換言すれば、図３に図示される各構成要素は機能概念的なものであり、必ずしも物理的に図示の如く構成されていることを要しない。たとえば、各機能ブロックの分散・統合の具体的形態は図示のものに限られず、その全部または一部を、各種の負荷や使用状況などに応じて、任意の単位で機能的または物理的に分散・統合して構成することが可能である。
【００３６】
図３に示すように、電子装置システム２００は、入力システム１００と、表示装置６０とを備える。入力システム１００は、入力装置１と、制御部５０とを備える。入力装置１は、ユーザからの入力操作を受け付ける。入力装置１は、上記した操作パネル１０と、振動部２０とを備える。操作パネル１０は、ユーザによる入力を操作面１１を介して受け付けると、ユーザと操作面１１との接触位置を検出し、検出された接触位置に応じた情報（たとえば座標情報）を含む信号を制御部５０へ出力する。
【００３７】
制御部５０は、入力装置１の操作パネル１０が検出した接触位置に応じて、振動部２０を制御する。制御部５０は、ＣＰＵ（Central  Processing  Unit）および記憶部などを備えたマイクロコンピュータである。
【００３８】
制御部５０は、操作検出部５１と、振動制御部５２とを備える。操作検出部５１は、操作パネル１０から出力された接触位置の情報に基づき、操作面１１に対して行われたユーザの入力操作を検出する。
【００３９】
たとえば、操作検出部５１は、電子装置システム２００がカーナビゲーションシステムとして用いられるときに、操作パネル１０から出力された接触位置の情報が、操作面１１の目的地設定ボタンに対応する位置であった場合、ユーザの入力操作が目的地を設定する入力操作であることを検出する。
【００４０】
操作検出部５１は、操作面１１に対するユーザの入力操作を検出すると、検出した入力操作を示す信号を振動制御部５２および表示装置６０へ出力する。
【００４１】
振動制御部５２は、操作検出部５１から出力された信号、すなわち、ユーザの入力操作を示す信号に基づいて、振動部２０に対して電圧信号を出力して振動部２０を制御する。すなわち、振動制御部５２は、操作面１１に対する入力操作に基づいて振動部２０を制御する。
【００４２】
詳しくは、振動制御部５２は、操作面１１に対する入力操作に基づき、振動周波数が異なる複数の態様で操作パネル１０を振動させるように振動部２０を制御することができる。より詳しくは、振動制御部５２は、操作面１１に対する入力操作に基づき、超音波帯域の周波数の振動を操作パネル１０に発生させる態様と、超音波帯域より低い周波数の帯域の振動を操作パネル１０に発生させる態様との間で切り替えるように振動部２０を制御することができる。
【００４３】
上記した超音波帯域の周波数（高周波）は、たとえば２０〜４０ｋＨｚであり、超音波帯域より低い周波数（低周波）は、たとえば２００Ｈｚ以下であるが、これらに限定されるものではない。なお、超音波帯域の高周波で振動を発生させる態様は、第１振動態様の一例である。低周波で振動を発生させる態様は、第２振動態様の一例である。
【００４４】
振動制御部５２は、振動部２０を制御して、超音波帯域の高周波で操作パネル１０を振動させると、操作パネル１０には定在波が発生し、これにより、スクイーズ効果を利用してユーザに対する操作面１１の摩擦力を低減させることができる。
【００４５】
スクイーズ効果とは、振動部２０により操作面１１が高周波で振動して定在波が生じると、振動による圧力変動で、ユーザの指と操作面１１との間に空気層が形成され、ユーザの指と操作面１１との間の摩擦抵抗が、振動がない場合に比べて相対的に低くなる現象を指す。
【００４６】
このように操作パネル１０の操作面１１の摩擦力が低減することから、たとえば、操作パネル１０の操作面１１上で指を移動させるユーザのスライド操作のスライド方向に対して吸い込まれていくような、つるつるした触感を与えることができる。
【００４７】
また、振動制御部５２は、振動部２０を制御して、ユーザの指が操作面１１に接触した状態において低周波で操作パネル１０を振動させると、振動部２０の振動が操作パネル１０を介してユーザの指に伝達し、ぶるぶる震える触感を与えることができる。
【００４８】
表示装置６０は、表示制御部６１と、表示部６２とを備える。表示制御部６１は、操作検出部５１から出力された、ユーザの操作面１１に対する入力操作を示す信号に応じて、表示部６２に所定の画像を表示させる。表示部６２は、たとえば液晶ディスプレイを用いることができるが、これに限られず、たとえば有機ＥＬディスプレイなどその他の種類のディスプレイであってもよい。
【００４９】
＜４．入力システムの具体的構成＞
次に、入力装置１を含む入力システム１００について図４および図５を参照してさらに詳しく説明する。図４は実施形態に係る入力システム１００の平面図であり、図５は図４のＶ−Ｖ線断面図である。
【００５０】
入力システム１００は、上記した入力装置１と、制御部５０が搭載された制御基板７０（図５参照）と、筐体８０とを備える。制御基板７０には、上記した制御部５０等に加え、制御部５０用の接続端子７１（図５参照）が搭載される。かかる接続端子７１は、振動部２０に配線２１を介して電気的に接続される。
【００５１】
筐体８０は、たとえば略直方体に形成され、入力装置１および制御基板７０などを収容する。なお、図４では、筐体８０に収容された入力装置１等をよく示すため、筐体８０を想像線で示した。
【００５２】
筐体８０は、平面視略矩形状の開口８１が形成される。操作パネル１０は、筐体８０の開口８１に近接して配置され、操作パネル１０のうち開口８１によって露出する部位が操作面１１となる。
【００５３】
図５に示すように、筐体８０は、載置部８２と、押圧部８３とを備える。載置部８２は、筐体８０の底面から上方に向けて突設され、支持パネル３０が載置される。押圧部８３は、筐体８０の上面から下方に向けて突設される。そして、押圧部８３は、支持パネル３０を載置部８２側へ向けて押圧する。これにより、支持パネル３０を含む入力装置１は、筐体８０内に安定して保持されることとなる。なお、図５に示す載置部８２および押圧部８３の位置や形状は、あくまでも一例であって限定されるものではない。
【００５４】
図４に示すように、入力装置１の振動部２０は、操作パネル１０の長辺方向（Ｘ軸方向）の端部にそれぞれ取り付けられるが、これに限定されるものではなく、たとえば振動部２０は、操作パネル１０の短辺方向（Ｙ軸方向）の端部にそれぞれ取り付けられてもよい。また、振動部２０は、たとえば操作面１１の外側の領域に互いに対向して取り付けられる。
【００５５】
操作パネル１０、第１支持パネル３０ａおよび第２支持パネル３０ｂは、上記したように平面視矩形状とされる。そして、第２支持パネル３０ｂは、操作パネル１０の長辺１０ｃに対応する辺３０ｂ１が操作パネル１０の長辺１０ｃより短くなるように形成される。すなわち、第２支持パネル３０ｂの辺３０ｂ１の長さＬｂは、操作パネル１０の長辺１０ｃの長さＬａより短く設定される（Ｌｂ＜Ｌａ）。
【００５６】
このように、本実施形態にあっては、振動部２０が操作パネル１０の長辺方向の端部に取り付けられるとともに、第２支持パネル３０ｂの辺３０ｂ１の長さＬｂが上記のように設定される。これにより、操作パネル１０と第１支持パネル３０ａとの間で、かつ、振動部２０の付近に空間Ｂ（図５参照）を確実に形成することができ、よって振動部２０からの配線２１の引き出しをより一層容易にすることができる。
【００５７】
図６は、図４のVI−VI線断面図である。なお、図６では、図の簡略化のため、筐体８０の図示を省略した。図６に示すように、第２支持パネル３０ｂは、厚さｔｂが第１支持パネル３０ａの厚さｔａより薄くなるように形成される（ｔｂ＜ｔａ）。
【００５８】
第２支持パネル３０ｂの厚さｔｂが上記のように設定されることで、振動部２０からの配線２１を引き出し可能な程度の高さの空間Ｂ（図５参照）を確保しつつ、入力装置１の全体のＺ軸方向の高さが増大することを抑制することができる。
【００５９】
また、第１支持パネル３０ａと第２支持パネル３０ｂとは、支持パネル接着部３１によって接着される。これにより、支持パネル３０が第１支持パネル３０ａおよび第２支持パネル３０ｂの複数の部材で構成される場合であっても、第１支持パネル３０ａと第２支持パネル３０ｂとを容易に一体化させることができる。なお、支持パネル接着部３１としては、例えば透明性を有する光学粘着テープなどを用いることができるが、これに限定されるものではない。
【００６０】
操作パネル１０および第１、第２支持パネル３０ａ，３０ｂは、いずれも硬度が比較的高いガラス製とされる。これにより、操作パネル１０および第１、第２支持パネル３０ａ，３０ｂは、たとえば外部からの衝撃や熱に対する耐久性を向上させることができる。なお、操作パネル１０および第１、第２支持パネル３０ａ，３０ｂは、ガラス製に限定されるものではなく、たとえば樹脂などその他の種類の材料から製作されてもよい。
【００６１】
また、図５に示すように、操作パネル１０における四隅部１０ｂと第１支持パネル３０ａとの間には空間Ｃが形成される。なお、図５では、空間Ｃと上記した配線２１用の空間Ｂとが重なっている。このように、操作パネル１０の四隅部１０ｂの裏面１２側に空間Ｃがあることから、操作パネル１０は、支持パネル３０に対して揺れ易くなり、所謂フローティング状態になる。
【００６２】
これにより、入力装置１は、たとえば振動部２０を低周波で振動させた場合、振動部２０の振動に伴って操作パネル１０に低周波の振動を効率よく発生させることができる。なお、本実施形態では、操作パネル１０における四隅部１０ｂのうちの全部と第１支持パネル３０ａとの間に空間Ｃが形成されるが、これに限られず、四隅部１０ｂのうちの一部と第１支持パネル３０ａとの間に空間Ｃが形成されてもよい。
【００６３】
図４に示すように、接着部４０は、たとえば操作面１１の外側の領域に位置される。なお、図４では、接着部４０が設けられる位置を明示するため、接着部４０を網掛けで示している。
【００６４】
また、接着部４０は、操作パネル１０の長辺１０ｃ側と第２支持パネル３０ｂとを接着する位置に設けられる。これにより、操作パネル１０に高周波の振動や低周波の振動を効率よく発生させることができる。
【００６５】
すなわち、操作パネル１０の振動により操作パネル１０に撓みが生じると、操作パネル１０における高周波の振動等の発生が阻害されることがある。そこで、本実施形態にあっては、撓みが生じ易い操作パネル１０の長辺１０ｃ側と第２支持パネル３０ｂとを接着部４０で接着することで、撓みを抑制することができ、よって操作パネル１０に高周波の振動や低周波の振動を効率よく発生させることができる。
【００６６】
なお、接着部４０としては、たとえばアクリルを基材とした粘着テープ（両面テープ）を用いることができるが、これに限定されるものではない。
【００６７】
上述してきたように、実施形態に係る入力装置１は、操作パネル１０と、振動部２０と、支持パネル３０とを備える。操作パネル１０は、操作面１１を有する。振動部２０は、操作パネル１０の操作面１１とは反対側の裏面１２の端部に取り付けられ、操作パネル１０を振動させる。支持パネル３０は、操作パネル１０の裏面１２に対向して配置され、操作パネル１０を支持する。
【００６８】
また、支持パネル３０は、第１支持パネル３０ａと、第２支持パネル３０ｂとを備える。第１支持パネル３０ａは、操作面１１から見た場合に、操作パネル１０の振動部２０が取り付けられる取付領域を含む形状に形成される。第２支持パネル３０ｂは、操作パネル１０と第１支持パネル３０ａとの間に配置されるとともに、操作面１１から見た場合に、操作パネル１０における振動部２０の取付領域より内側に位置するような形状に形成される。これにより、操作パネル１０の裏面１２に取り付けられた振動部２０からの配線２１の引き出しを容易にすることができる。
【００６９】
また、振動部２０に接続される配線２１は、操作パネル１０と第１支持パネル３０ａとの間の空間Ｂに配置される。これにより、振動部２０からの配線２１の引き出しをより一層容易にすることができる。
【００７０】
なお、上記した電子装置システム２００において、入力システム１００と表示装置６０とは離間して配置されるが（図２参照）、これに限定されるものではない。すなわち、電子装置システム２００は、図７に示すように、入力システム１００と表示装置６０とを一体化したタッチパネルを含む構成であってもよい。
【００７１】
図７は、電子装置システム２００における入力システム１００と表示装置６０との関係を示す図である。図７に示すように、操作パネル１０の裏面１２側に表示装置６０が配置されており、ユーザは、操作パネル１０を介して表示装置６０に表示された画面を見ることができる。  なお、図７においては、支持パネル３０などの図示を省略した。
【００７２】
なお、上記では、接着部４０や支持パネル接着部３１として用いられる粘着テープを具体的に示したが、これらはあくまでも例示であって限定されるものではない。また、接着部４０や支持パネル接着部３１として粘着テープを用いるようにしたが、これに限られるものではなく、たとえば接着剤などであってもよい。
【００７３】
また、上記では、電子装置システム２００が車両に搭載される例を示したが、これに限定されるものではなく、たとえばスマートフォンやタブレット端末などその他の種類の装置に搭載されてもよい。
【００７４】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００７５】
１  入力装置
１０  操作パネル
１１  操作面
２０  振動部
２１  配線
３０  支持パネル
３０ａ  第１支持パネル
３０ｂ  第２支持パネル
３１  支持パネル接着部
４０  接着部
５２  振動制御部
１００  入力システム
２００  電子装置システム
【図１Ａ】
2018205881.tif 000003
【図１Ｂ】
2018205881.tif 000004
【図２】
2018205881.tif 000005
【図３】
2018205881.tif 000006
【図４】
2018205881.tif 000007
【図５】
2018205881.tif 000008
【図６】
2018205881.tif 000009
【図７】
2018205881.tif 000010